(57)【要約】【課題】扉を箱体に対して１８０度に開放可能に支持する外側蝶番であって、蝶番ピンの着脱を、工具を使用することなく容易に行うことができ、しかも、キャビネットの外側からは、蝶番ピンの着脱操作を行えないようにした外側蝶番を提供する。【解決手段】箱体に扉４を枢着する電気電子機器用キャビネットの蝶番であって、蝶番ピン３と該蝶番ピン３を扉４表面側で保持し該扉４の表面端部に取り付ける蝶番ピン保持具１と、箱体の外枠部に取り付ける蝶番受具２とから構成され、該蝶番ピン３は、扉４の裏面側から蝶番ピン３を上下に摺動させる蝶番ピン摺動手段３１を備える。【選択図】図４
2010267898.tif 000002
【特許請求の範囲】
【請求項１】
箱体に扉を枢着する電気電子機器用キャビネットの蝶番であって、
蝶番ピンと
該蝶番ピンを扉表面側で保持し該扉の表面端部に取り付ける蝶番ピン保持具と、
箱体の外枠部に取り付ける蝶番受具とから構成され、
該蝶番ピンは、扉の裏面側から蝶番ピンを上下に摺動させる蝶番ピン摺動手段を備えたことを特徴とする電気電子機器用キャビネットの蝶番。
【請求項２】
該蝶番ピンには、蝶番ピンを上下に摺動させる蝶番ピン摺動手段を備え、
該蝶番ピン保持具には、蝶番ピン収納部と、蝶番ピン摺動手段を扉の裏面方向に突出させ上下に移動可能に保持する移動溝部と、蝶番ピンを摺動させた位置で固定する蝶番ピン固定手段とを備え、
該蝶番受具には、蝶番ピン収納部から突出する蝶番ピンの先端部が挿入される蝶番ピン挿入部を備え、
該蝶番ピン摺動手段が、蝶番ピン収納部に収納された蝶番ピンの側面部から、扉の裏面方向に向けて突出させた蝶番ピン操作バーであることを特徴とする請求項１に記載の電気電子機器用キャビネットの蝶番。
【請求項３】
蝶番ピン固定手段が、該溝部の上端部および下端部にそれぞれ延設した水平方向の溝部であることを特徴とする請求項２記載の電気電子機器用キャビネット用の蝶番。
【請求項４】
該水平方向の溝部は、蝶番ピン収納部の内部に完全に収納された蝶番ピンを、該位置で固定する第一の水平溝部と、先端部が蝶番ピン挿入部に挿入される蝶番ピンを、該位置で固定する第二の水平溝部からなることを特徴とする請求項３記載の電気電子機器用キャビネットの蝶番。
【請求項５】
蝶番ピン収納部の内部にはバネが収納され、該蝶番ピン収納部に収納された蝶番ピンを付勢する
ことを特徴とする請求項２〜４の何れかに記載の電気電子機器用キャビネットの蝶番。
【請求項６】
蝶番ピン保持具には、
更に、蝶番ピンを該蝶番ピン保持具に嵌込する嵌込作業を確認するための確認孔
を備えることを特徴とする
請求項２記載の電気電子機器用キャビネットの蝶番。
【発明の詳細な説明】
【技術分野】
【０００１】
本発明は、電気電子機器用キャビネットのキャビネット本体に扉を枢着する蝶番であって、蝶番ピンがキャビネット本体の外部にある蝶番（以下、外側蝶番という）に関するものである。
【背景技術】
【０００２】
キャビネット本体の開口を蝶番により取り付けた扉により開閉する分電盤や配電盤及び通信機器等の電気電子機器収納用キャビネットは、キャビネット本体内に電気・電子機器類の作業等において扉が邪魔となる場合には扉を外して工事作業を行い作業終了後に再度扉を取り付けることがある。扉の取り付けおよび取り外し作業は、通常、蝶番から蝶番ピンを外し、蝶番を分離して行われる。
【０００３】
扉の取り付けおよび取り外し作業を容易にする技術として、蝶番ピンにレバー等の蝶番ピン操作手段を設けることにより、工具を使用することなく、蝶番ピンの着脱を容易に行う技術が開示されている（例えば、特許文献１）。
【０００４】
電気電子機器用キャビネットの蝶番としては、蝶番ピンが、箱体の内部にあるタイプの内側蝶番（例えば、特許文献１図１１参照）と、箱体の外部にあるタイプの外側蝶番（例えば、特許文献２図６参照）が一般的である。特許文献１等に記載の、蝶番ピンにレバー等の蝶番ピン操作手段を設けた蝶番をキャビネット扉の外側に取り付けて使用する場合、キャビネットの外側からレバー等の蝶番ピン操作手段を操作して、容易にキャビネット扉を取り外すことが可能となる。この場合、扉を鎖錠してあっても、キャビネット内へのアクセスが可能となる。したがって、蝶番ピンにレバー等の蝶番ピン操作手段を設けた構造を外側蝶番に適用することは、データセンター等で使用される電気電子機器用キャビネットとしては特にキュリティーの観点から好ましくないという問題があった。
【０００５】
一方、内側蝶番を採用する場合には、扉を開かないと蝶番を操作することができないため、セキュリティ面では好ましいものである反面、扉端部に形成される折曲部分が蝶番と接触するため、扉を１８０度に開放することができないという問題があった。
【先行技術文献】
【特許文献】
【０００６】
【特許文献１】特開２００７−３１５０２３号公報
【特許文献２】特開２００７−２１１４９０号公報
【発明の概要】
【発明が解決しようとする課題】
【０００７】
本発明の目的は、前記問題を解決し、扉を箱体に対して１８０度に開放可能に支持する外側蝶番であって、蝶番ピンの着脱を、工具を使用することなく容易に行うことができ、しかも、キャビネットの外側からは、蝶番ピンの着脱操作を行えないようにした外側蝶番を提供することである。
【課題を解決するための手段】
【０００８】
上記課題を解決するためになされた本発明の電気電子機器用キャビネットの蝶番は、箱体に扉を枢着する電気電子機器用キャビネットの蝶番であって、蝶番ピンと、該蝶番ピンを扉表面側で保持し該扉の表面端部に取り付ける蝶番ピン保持具と、箱体の外枠部に取り付ける蝶番受具とから構成され、該蝶番ピンは、扉の裏面側から蝶番ピンを上下に摺動さ
せる蝶番ピン摺動手段を備えたことを特徴とするものである。
【０００９】
請求項２記載の発明は、請求項１に記載の電気電子機器用キャビネットの蝶番において、該蝶番ピンには、蝶番ピンを上下に摺動させる蝶番ピン摺動手段を備え、該蝶番ピン保持具には、蝶番ピン収納部と、蝶番ピン摺動手段を扉の裏面方向に突出させ上下に移動可能に保持する移動溝部と、蝶番ピンを摺動させた位置で固定する蝶番ピン固定手段とを備え、該蝶番受具には、蝶番ピン収納部から突出する蝶番ピンの先端部が挿入される蝶番ピン挿入部を備え、該蝶番ピン摺動手段が、蝶番ピン収納部に収納された蝶番ピンの側面部から、扉の裏面方向に向けて突出させた蝶番ピン操作バーであることを特徴とするものである。
【００１０】
請求項３記載の発明は、請求項２記載の電気電子機器用キャビネット用の蝶番において、蝶番ピン固定手段が、該溝部の上端部および下端部にそれぞれ延設した水平方向の溝部であることを特徴とするものである。
【００１１】
請求項４記載の発明は、請求項３記載の電気電子機器用キャビネットの蝶番において、該水平方向の溝部は、蝶番ピン収納部の内部に完全に収納された蝶番ピンを、該位置で固定する第一の水平溝部と、先端部が蝶番ピン挿入部に挿入される蝶番ピンを、該位置で固定する第二の水平溝部からなることを特徴とするものである。
【００１２】
請求項５記載の発明は、請求項２〜４の何れかに記載の電気電子機器用キャビネットの蝶番において、蝶番ピン収納部の内部にはバネが収納され、該蝶番ピン収納部に収納された蝶番ピンを付勢することを特徴とするものである。
【００１３】
請求項６記載の発明は、請求項２記載の電気電子機器用キャビネットの蝶番において、蝶番ピン保持具には、更に、蝶番ピンを該蝶番ピン保持具に嵌込する嵌込作業を確認するための確認孔を備えることを特徴とするものである。
【発明の効果】
【００１４】
本発明の電気電子機器用キャビネットの蝶番は、箱体に扉を枢着する電気電子機器用キャビネットの蝶番であって、蝶番ピンと該蝶番ピンを扉表面側で保持し該扉の表面端部に取り付ける蝶番ピン保持具と、箱体の外枠部に取り付ける蝶番受具とから構成され、該蝶番ピンは、扉の裏面側から蝶番ピンを上下に摺動させる蝶番ピン摺動手段を備えたものである。該構成によれば、外側蝶番でありながら蝶番ピンの摺動を扉を開いた後にしか行うことができず、セキュリティを確保できるものである。さらに、本発明では、該蝶番ピンに、蝶番ピンを上下に摺動させる蝶番ピン摺動手段を備え、該蝶番ピン保持具に、蝶番ピン収納部と、蝶番ピン摺動手段を扉の裏面方向に突出させ、上下に移動可能に保持する移動溝部と、蝶番ピンを摺動させた位置で固定する蝶番ピン固定手段とを備え、該蝶番受具に、蝶番ピン収納部から突出する蝶番ピンの先端部が挿入される蝶番ピン挿入部を備える構成とし、更に、該蝶番ピン摺動手段を、蝶番ピン収納部に収納された蝶番ピンの側面部から、扉の裏面方向に向けて突出させた蝶番ピン操作バーとする構成とした。該構成によれば、工具を使用することなく蝶番ピン操作バーの操作により、蝶番ピンの着脱を容易にすることができる。また、該蝶番ピン操作バーを扉の裏面方向に向けて、水平に突出させたことにより、キャビネットの外側からは蝶番ピンの着脱操作を行えず、キャビネットの内側にアクセス権限を有する正規作業者以外による蝶番ピンの着脱を防止することができる。
【図面の簡単な説明】
【００１５】
【図１】本発明の蝶番の分解説明図である。
【図２】蝶番ピンの説明図である。
【図３】蝶番ピン保持具の説明図である。
【図４】蝶番ピン保持具の補強金具の説明図である。
【発明を実施するための形態】
【００１６】
以下に本発明の好ましい実施形態を示す。
【００１７】
図１には、本発明の蝶番の分解説明図を示している。本発明の蝶番は、蝶番ピン３と、扉４の表面端部に蝶番ピン３を保持する蝶番ピン保持具１（図１-（ａ））と、箱体の外枠部５に取り付ける蝶番受具２（図１-（ｂ））から構成される。本発明の蝶番は、蝶番ピン保持具１内に保持された蝶番ピン３の一部を、蝶番受具２の端部に形成された蝶番ピン挿入部２１に貫入させて、扉４を箱体に取り付けるものである。なお、外枠部とはキャビネットの前面開口周縁部を意味するものであり、フレーム状の支柱部材に限定されるものではない。
【００１８】
図２には、蝶番ピンの説明図を示している。蝶番ピン３には、側面に蝶番ピン操作バー３１を設けている。
【００１９】
図３-（ａ）と図３-（ｂ）には、それぞれ異なる角度から見た、蝶番ピン保持具の説明図を示している。蝶番ピン保持具１には、蝶番ピン３が収納される蝶番ピン収納部１１と、蝶番ピン操作バー３１を扉４に形成した孔部４ａより裏面方向に突出させ、上下に移動可能に保持する垂直方向に形成した移動溝部１２が形成されている。
【００２０】
移動溝部１２内で、蝶番ピン操作バー３１を垂直方向に操作することによって、蝶番ピン３を完全に蝶番ピン収納部１１に収納したり、蝶番ピン３の上部を蝶番ピン収納部１１から突出させることができる。
また、該移動溝部１２の両端部には、当該高さ位置で蝶番ピン操作バー３１を固定保持するために、蝶番ピン固定手段である第一の水平溝部１２ａおよび第二の水平溝部１２ｂが形成されている。なお、蝶番ピン収納部１１の底部に、ばね３２を収納し、該蝶番ピン収納部１１に収納された蝶番ピンを上方に付勢する構造とすることが好ましい。
【００２１】
該扉４の表面端部に取り付けた蝶番ピン保持具１と、箱体の外枠部に取り付けた蝶番受具２と、蝶番ピン３とから構成された蝶番において、蝶番ピン操作バー３１が第一の水平溝部１２ａに固定されている場合には、蝶番ピン３は蝶番ピン収納部１１の内部に完全に収納され、蝶番ピン保持具１と蝶番受具２の係止状態は解除されている。一方、蝶番ピン操作バー３１が第二の水平溝部１２ｂに固定されている場合には、蝶番ピン３の一部が、蝶番受具２に形成された蝶番ピン挿入部２１に装入され、蝶番ピン保持具１と蝶番受具２は係止状態にある。
【００２２】
従って、キャビネットから扉を取り外す場合には、まず、第二の水平溝部１２ｂにある蝶番ピン操作バー３１を、移動溝部１２に移動させる。ここで、ばね３２の付勢力に抗して蝶番ピン操作バー３１押下げながら移動溝部１２の下端部まで移動して、蝶番ピン３は蝶番ピン収納部１１の内部に完全に収納させる。そして、当該位置で、蝶番ピン操作バー３１を水平移動して第一の水平溝部１２ａで固定させて蝶番ピン保持具１と蝶番受具２の係止状態は解除すればよい。
【００２３】
逆に、キャビネットに扉を取りつける場合には、まず、該扉の表面端部に取り付けた蝶番ピン保持具１内で、蝶番ピン操作バー３１を第一の水平溝部１２ａに固定させておく。次に、箱体の外枠部に取り付けた蝶番受具２に形成された蝶番ピン挿入部２１の位置と、該扉の表面端部に取り付けた蝶番ピン保持具１に形成された蝶番ピン収納部１１の開口部とが、対向配置されるように調整しながら、蝶番ピン保持具１と蝶番受具２を組み合わせ
る。そして、当該位置で、蝶番ピン操作バー３１を水平移動すると、ばね３２の付勢力により蝶番ピン３が蝶番ピン収納部１１から外側に突出し、蝶番受具２の蝶番ピン挿入部２１に貫入する。ここで、蝶番ピン操作バー３１を第二の水平溝部１２ｂに水平移動して固定させればよい。
【００２４】
図４には、蝶番ピン保持具１を取り付けた扉の裏面図を示している。
【００２５】
扉の表面には、図１に示すように、蝶番ピン保持具１が取り付けられる。蝶番ピン保持具１の取り付け位置から、扉を挟んで、扉の裏面の対応する位置には、補強金具６が取り付けられる。
【００２６】
蝶番ピン保持具１を扉に取り付けた取付部分には、蝶番受具２からの反作用による荷重が働く。したがって、扉に対する補強構造として、蝶番ピン保持具１の裏面に配置された補強金具６の上下端部及び一方の側部に、折曲部６５を形成することが好ましい。
【００２７】
蝶番ピン保持具１の移動溝部１２・第一の水平溝部１２ａ・第二の水平溝部１２ｂに対応する扉の位置には、孔部４ａが形成されると共に、蝶番ピン保持具１の蝶番ピン３を嵌込する嵌込作業を確認するために形成された確認孔１４に対応する孔部４ｂが扉４の対応位置に形成されている。また、該蝶番ピン保持具１とともに扉４を挟付けて補強する補強金具６には前記孔部４ａ、孔部４ｂに対応する単一の挿通孔６２が形成され、蝶番ピン操作バー３１が、扉４の孔部４ａ及び補強金具の挿通孔６２を貫通して扉４の裏面方向に突出する構造としている。
【００２８】
なお、蝶番ピン保持具１と補強金具６には、扉４を挟んでねじ固定するための、取付孔部１３、６３が形成されている。扉４の対応位置にも、同様の孔部が形成されている。
【符号の説明】
【００２９】
１  蝶番ピン保持具
１１  蝶番ピン収納部
１２  移動溝部
１２ａ  第一の水平溝部
１２ｂ  第二の水平溝部
１３  取付孔部
１４  確認孔
２  蝶番受具
２１  蝶番ピン挿入部
３  蝶番ピン
３１  蝶番ピン操作バー
３２  ばね
４  扉
４ａ  孔部
４ｂ  孔部
５  箱体の外枠部
６  補強金具
６２  挿通孔
６３  取付孔部
【図１】
2010267898.tif 000003
【図２】
2010267898.tif 000004
【図３】
2010267898.tif 000005
【図４】
2010267898.tif 000006